(57)【要約】【課題】補助光源を適切なタイミングで消灯させることができる蛍光ランプ装置を提供する。【解決手段】交流電力の供給を受けて点灯する蛍光ランプと、前記交流電力を前記蛍光ランプに供給し、点灯させる第１の点灯手段と、前記蛍光ランプに近接して配設された１または複数の補助光源と、前記補助光源を点灯または消灯させる第２の点灯手段と、前記第１の点灯手段が前記蛍光ランプを点灯させたとき、前記第２の点灯手段が前記補助光源を点灯させるように制御し、その後、所定のタイミングで、前記第２の点灯手段が前記補助光源を消灯させるように制御する制御手段と、を備える。【選択図】図２
2010205644.tif 000002
【特許請求の範囲】
【請求項１】
交流電力の供給を受けて点灯する蛍光ランプと、
前記交流電力を前記蛍光ランプに供給し、点灯させる第１の点灯手段と、
前記蛍光ランプに近接して配設された１または複数の補助光源と、
前記補助光源を点灯または消灯させる第２の点灯手段と、
前記第１の点灯手段が前記蛍光ランプを点灯させたとき、前記第２の点灯手段が前記補助光源を点灯させるように制御し、その後、所定のタイミングで、前記第２の点灯手段が前記補助光源を消灯させるように制御する制御手段と、
を備えることを特徴とする、蛍光ランプ装置。
【請求項２】
前記蛍光ランプの照度を検出する照度検出手段をさらに備え、
前記制御手段は、前記照度検出手段によって検出された前記蛍光ランプの照度が所定の基準値を超えたとき、前記第２の点灯手段が前記補助光源を消灯させるように制御する、
ことを特徴とする、請求項１に記載の蛍光ランプ装置。
【請求項３】
前記蛍光ランプが点灯してからの時間を計時する計時手段をさらに備え、
前記制御手段は、前記計時手段によって計時された計時結果が所定の基準時間を超えたとき、前記第２の点灯手段が前記補助光源を消灯させるように制御する、
ことを特徴とする、請求項１に記載の蛍光ランプ装置。
【請求項４】
外部からの切替信号を受信する受信手段を更に備え、
前記第１の点灯手段は、前記交流電力の前記蛍光ランプへの供給を制御し、前記蛍光ランプを点灯または消灯させる点灯制御手段であり、
前記制御手段は、さらに、前記蛍光ランプが点灯しているときに前記受信手段が前記切替信号を受信すると、前記第１の点灯制御手段が前記蛍光ランプを消灯させるように制御し、前記第２の点灯手段が前記補助光源を点灯させるように制御し、前記蛍光ランプと前記補助光源とを切り替えて点灯させる、
ことを特徴とする、請求項１乃至３のいずれか１項に記載の蛍光ランプ装置。
【請求項５】
前記補助光源に電力を供給するバッテリと、
前記交流電力の供給の有無を検出する検出手段と、をさらに備え、
前記検出手段によって前記交流電力の供給が無いことが検出されたとき、前記制御手段は、前記バッテリが前記補助光源に対して電力供給を行うように制御する、
ことを特徴とする、請求項１乃至４のいずれか１項に記載の蛍光ランプ装置。
【請求項６】
前記補助光源は、前記蛍光ランプの周囲に前記蛍光ランプを取り囲むように平面上に複数配設されている、
ことを特徴とする、請求項１乃至５のいずれか１項に記載の蛍光ランプ装置。
【請求項７】
前記補助光源は、ＬＥＤで構成される、
ことを特徴とする、請求項１乃至６のいずれか１項に記載の蛍光ランプ装置。
【請求項８】
前記補助光源は、互いに異なる色の光を発光する複数の単色ＬＥＤを備えた多色ＬＥＤで構成され、
前記多色ＬＥＤを構成する各単色ＬＥＤの点灯を個別に制御する多色ＬＥＤ制御手段をさらに備える、
ことを特徴とする、請求項７に記載の蛍光ランプ装置。
【請求項９】
前記補助光源は、有機ＥＬ素子で構成される、
ことを特徴とする、請求項１乃至６のいずれか１項に記載の蛍光ランプ装置。
【発明の詳細な説明】
【技術分野】
【０００１】
本発明は、例えばＧＸ５３型口金を有する蛍光ランプにＬＥＤや有機ＥＬ素子等の補助光源を配設した蛍光ランプ装置に関する。
【背景技術】
【０００２】
蛍光ランプは、輝度または照度を調節することが困難であるという特性がある。そこで、特許文献１では、ＬＥＤ(Light Emitting Diode)を蛍光ランプの近傍に配設し、蛍光ランプとＬＥＤのいずれか一方を点灯させることができるようにし、通常のあかりの明るさと常夜灯程度のあかりの明るさ２種類の明るさに調光する手法が開示されている。
【先行技術文献】
【特許文献】
【０００３】
【特許文献１】特開２００７−２２７３４２号公報
【発明の概要】
【発明が解決しようとする課題】
【０００４】
特許文献１記載の発明は、蛍光ランプのみでは困難であった調光を、補助光源としてのＬＥＤを用いることによって可能とするものである。しかしながら、ＬＥＤが蛍光ランプに包囲されるように配設されているため、ＬＥＤから出射された光が蛍光ランプによって遮られ、配光が制限されるという点等で問題となる。
【０００５】
また、蛍光ランプは、電源投入後の始動特性が悪く、電源投入直後の一定時間は低輝度の状態が続くという特性がある。特に、電球型蛍光ランプやキャビネットランプ等の小型のランプ装置ではそれが顕著に現れる。特許文献１の発明は、外部スイッチのオン・オフ操作の時間に応じて、蛍光ランプおよびＬＥＤのいずれか一方のみを点灯させるものであり、電源投入後の蛍光ランプの低輝度な状態を改善するものではない。
【０００６】
本発明は、上記問題点に鑑みてなされたものであり、補助光源を適切なタイミングで消灯させることができる蛍光ランプ装置を提供することを目的とする。
【課題を解決するための手段】
【０００７】
上記目的を達成するため、本発明係る蛍光ランプ装置は、
交流電力の供給を受けて点灯する蛍光ランプと、
前記交流電力を前記蛍光ランプに供給し、点灯させる第１の点灯手段と、
前記蛍光ランプに近接して配設された１または複数の補助光源と、
前記補助光源を点灯または消灯させる第２の点灯手段と、
前記第１の点灯手段が前記蛍光ランプを点灯させたとき、前記第２の点灯手段が前記補助光源を点灯させるように制御し、その後、所定のタイミングで、前記第２の点灯手段が前記補助光源を消灯させるように制御する制御手段と、
を備える。
【発明の効果】
【０００８】
本発明によれば、補助光源を適切なタイミングで消灯させることができる。
【図面の簡単な説明】
【０００９】
【図１】本発明の実施の形態に係るＧＸ５３型ランプ装置の平面図である。
【図２】本発明の第１の実施の形態に係るＧＸ５３型ランプ装置の構成例を示すブロック図である。
【図３】本発明の第２の実施の形態に係るＧＸ５３型ランプ装置の構成例を示すブロック図である。
【図４】本発明の第３の実施の形態に係るＧＸ５３型ランプ装置の構成例を示すブロック図である。
【図５】本発明の第４の実施の形態に係るＧＸ５３型ランプ装置の構成例を示すブロック図である。
【図６】本発明の第５の実施の形態に係るＧＸ５３型ランプ装置の構成例を示すブロック図である。
【図７】本発明の第１の実施の形態に係るＧＸ５３型ランプ装置の制御部の処理手順を説明するためのフローチャートである。
【図８】本発明の第２の実施の形態に係るＧＸ５３型ランプ装置の制御部の処理手順を説明するためのフローチャートである。
【図９】本発明の第３の実施の形態に係るＧＸ５３型ランプ装置の制御部の処理手順を説明するためのフローチャートである。
【図１０】本発明の第４の実施の形態に係るＧＸ５３型ランプ装置の制御部の処理手順を説明するためのフローチャートである。
【図１１】照度センサの配置例を示す図である。
【発明を実施するための形態】
【００１０】
以下、本発明の実施の形態について説明する。図１に示したように、ＧＸ５３型ランプ装置１は、蛍光ランプ１１と、８個のＬＥＤ(Light Emitting Diode)１２−１乃至１２−８が円形状の収容部１３によって同一平面上に収容された構成となっている。以下では各ＬＥＤ１２−１乃至１２−８を区別する必要が無い場合、適宜ＬＥＤ１２と記載する。
【００１１】
図１に示した例では、各ＬＥＤ１２は、蛍光ランプ１１を取り囲むように収容部１３の中心を中心点とする円周上に等間隔で配置されている。各ＬＥＤ１２は、紙面垂直方向においては、蛍光ランプ１１とほぼ同一の位置に配設されている。あるいは、各ＬＥＤ１２が蛍光ランプ１１より紙面に対して奥側に配設されてもよいし、各ＬＥＤ１２が蛍光ランプ１１より手前側に配設されてもよい。
【００１２】
蛍光ランプ１１は、後述するように、電源投入によって点灯し、電源をオフにすると消灯する。ＬＥＤ１２は、例えば、蛍光ランプ１１の電源投入直後の一定時間等に点灯するように制御される。つまり、ＬＥＤ１２は、蛍光ランプ１１が点灯したとき、点灯するように制御される。
【００１３】
図２に示すように、本発明の第１の実施の形態に係るＧＸ５３型ランプ装置１において、入力電源２１は、交流電源である。入力電源２１には、点灯装置２２およびＬＥＤ電力供給部２３がそれぞれ接続され、点灯装置２２（第１の点灯部）およびＬＥＤ電力供給部２３（第２の点灯部）に交流電力がそれぞれ供給される。
【００１４】
点灯装置２２には蛍光ランプ１１が接続されている。ＬＥＤ電力供給部２３には、ＬＥＤ２４が接続されている。また、蛍光ランプ１１の近傍に配設された照度センサ２６は制御部２５に接続され、制御部２５から直流電力の供給を受けて照度を検出し検出結果を制御部２５に供給する。制御部２５はＬＥＤ電力供給部２３にも接続されている。また、制御部２５は、ＬＥＤ電力供給部２３から直流電力の供給を受けて動作するようになっている。
【００１５】
入力電源２１に接続された点灯装置２２は、入力電源２１から供給される交流電力を蛍光ランプ１１に供給する。照度センサ２６は、蛍光ランプ１１の近傍に配設され、蛍光ランプ１１の照度を検出し、検出結果を制御部２５に供給する。
【００１６】
制御部２５は、照度センサ２６から検出結果の供給を受け、検出結果に応じてＬＥＤ電力供給部２３を制御し、ＬＥＤ２４の点灯および消灯を制御する。ＬＥＤ電力供給部２３は、入力電源２１から供給された交流電力を直流電力に変換し、制御部２５に直流電力を供給する。また、ＬＥＤ電源供給部２３は、制御部２５の制御下、ＬＥＤ２４に対する直流電力の供給および非供給を制御する。ＬＥＤ２４は、ＬＥＤ電力供給部２３から直流電力が供給されたとき、所定の発光色で発光する。
【００１７】
第１の実施の形態では、電源投入後、蛍光ランプ１１は点灯装置２２から供給される交流電力によって点灯し、ＬＥＤ２４もＬＥＤ電力供給部２３から供給される直流電力によって点灯する。その後、照度センサ２６によって検出された蛍光ランプ１１の照度が所定の基準値を超えると、制御部２５によってＬＥＤ電力供給部２３が制御され、ＬＥＤ２４への直流電力の供給が停止され、ＬＥＤ２４が消灯される。
【００１８】
この基準値は、例えば、蛍光ランプ１１に電源投入されてから十分に時間が経過し、照度変化が目視ではほとんどなくなったときの蛍光ランプ１１の照度（最高照度）より小さい値（例えば最高照度の８割程度の値）とすることができる。
【００１９】
このように、照度センサ２６を用いて蛍光ランプ１１の点灯直後の一定時間、ＬＥＤ２４を発光させることができ、蛍光ランプ１１の立ち上がり特性の悪さをＬＥＤ２４の光によって補うことができる。
【００２０】
なお、上記実施形態における制御部２５は、点灯装置２２が蛍光ランプ１１を点灯させたとき、ＬＥＤ電源供給部２３がＬＥＤ２４を点灯させるように制御し、その後、所定のタイミングで、ＬＥＤ電源供給部２３がＬＥＤ２４を消灯させるように制御している。これによって、ＬＥＤ２４を任意のタイミングで消灯させることができる。なお、これは、下記の実施形態にも共通して言えることである。
【００２１】
図３に示したように、第２の実施の形態に係るＧＸ５３型ランプ装置１００では、第１の実施の形態における照度センサ２６に代えてタイマ２７が設けられている。その他の構成は図２のＧＸ５３型ランプ装置１の場合と同様である。即ち、入力電源２１には、点灯装置２２およびＬＥＤ電力供給部２３がそれぞれ接続され、点灯装置２２およびＬＥＤ電力供給部２３に交流電力が供給される。点灯装置２２には蛍光ランプ１１が接続されている。ＬＥＤ電力供給部２３には、ＬＥＤ２４が接続されている。また、タイマ２７は制御部２５に接続され、制御部２５はＬＥＤ電力供給部２３にも接続されている。
【００２２】
入力電源２１に接続された点灯装置２２は、入力電源２１から供給される交流電力を蛍光ランプ１１に供給する。タイマ２７は、制御部２５の制御下、蛍光ランプ１１に電力供給が開始されると計時処理を開始し、計時結果を一定時間（例えば、蛍光ランプ１１に電源投入されてから照度が通常の照度（最高照度）になるまでの時間より短い時間）間隔で制御部２５に供給する。
【００２３】
制御部２５は、タイマ２７による計時結果の供給を受け、計時結果に応じてＬＥＤ電力供給部２３を制御し、ＬＥＤ２４の点灯および消灯を制御する。タイマ２７は、制御部２５から直流電力の供給を受け、計時動作を行うようになっている。ＬＥＤ電力供給部２３は、入力電源２１から供給された交流電力を直流電力に変換し、制御部２５に供給するとともに、制御部２５の制御下、ＬＥＤ２４に対する直流電力の供給および非供給を制御する。ＬＥＤ２４は、ＬＥＤ電力供給部２３から直流電力が供給されたとき、所定の発光色で発光する。
【００２４】
図３に示した第２の実施の形態では、電源投入後、蛍光ランプ１１は点灯装置２２から供給される交流電力によって点灯し、ＬＥＤ２４もＬＥＤ電力供給部２３から供給される直流電力によって点灯する。その後、タイマ２７によって計時された時間が所定の基準時間を超えると、制御部２５によってＬＥＤ電力供給部２３が制御され、ＬＥＤ２４への直流電力の供給が停止され、ＬＥＤ２４が消灯される（所定のタイミングで、ＬＥＤ電源供給部２３がＬＥＤ２４を消灯させる）。
【００２５】
この基準時間は、例えば、蛍光ランプ１１に電源投入されてから、蛍光ランプ１１の照度が通常の照度（最高照度）になるまでの時間以上の時間とすることができる。
【００２６】
このように、タイマ２７を用いても蛍光ランプ１１の点灯直後の一定時間、ＬＥＤ２４を発光させることができる。これにより、蛍光ランプ１１の立ち上がり特性の悪さをＬＥＤ２４の光によって補うことができる。
【００２７】
図４に示したように、本発明の第３の実施の形態に係るＧＸ５３型ランプ装置２００は、第１の実施の形態に、外部からの蛍光ランプ／ＬＥＤ切替信号を受信する受信部２８が新たに設けられた構成とされている。
【００２８】
また、第１の実施の形態の点灯装置２２に代えて点灯制御部２９が設けられている。この点灯制御部２９は、制御部２５の制御下、入力電源２１から供給される交流電力の蛍光ランプ１１への供給および非供給を制御することができるようになっている。従って、蛍光ランプ１１への交流電力の供給を停止することにより、入力電源２１から交流電力の供給を受けていても、蛍光ランプ１１を消灯することができる。
【００２９】
その他の構成は図２に示した第１の実施の形態に係るＧＸ５３型ランプ装置１の場合と同様である。即ち、入力電源２１には、点灯装置２２に代えて点灯制御部２９およびＬＥＤ電力供給部２３がそれぞれ接続され、点灯制御部２９およびＬＥＤ電力供給部２３に交流電力がそれぞれ供給される。点灯制御部２９には蛍光ランプ１１が接続されている。ＬＥＤ電力供給部２３には、ＬＥＤ２４が接続されている。
【００３０】
また、点灯制御部２９およびＬＥＤ電力供給部２３には制御部２５が接続され、受信部２８は制御部２５に接続されている。また、照度センサ２６も制御部２５に接続されている。
【００３１】
入力電源２１に接続された点灯制御部２９は、入力電源２１から供給される交流電力を蛍光ランプ１１に供給する。照度センサ２６は、蛍光ランプ１１に交流電力の供給が開始されると蛍光ランプ１１の照度を検出する検出処理を開始する。そして、検出結果を一定時間（例えば、蛍光ランプ１１に電源投入されてから照度が通常の照度（最高照度）になるまでの時間より短い時間）間隔で制御部２５に供給する。
【００３２】
制御部２５は、照度センサ２６から検出結果の供給を受け、検出結果に応じて点灯制御部２９およびＬＥＤ電力供給部２３を制御し、蛍光ランプ１１およびＬＥＤ２４の点灯および消灯をそれぞれ制御する。
【００３３】
ＬＥＤ電力供給部２３は、入力電源２１から供給された交流電力を直流電力に変換し、制御部２５に供給するとともに、制御部２５の制御下、ＬＥＤ２４に対する直流電力の供給および非供給を制御する。点灯制御部２９は、制御部２５の制御下、蛍光ランプ１１に対する交流電力の供給および非供給を制御する。ＬＥＤ２４は、ＬＥＤ電力供給部２３から直流電力が供給されたとき、所定の発光色で発光する。
【００３４】
また、受信部２８によって受信された蛍光ランプ／ＬＥＤ切替信号は制御部２５に供給される。制御部２５は、受信部２８より供給された蛍光ランプ／ＬＥＤ切替信号に基づいて、点灯制御部２９およびＬＥＤ電力供給部２３を制御し、蛍光ランプ１１およびＬＥＤ２４の点灯および消灯をそれぞれ制御する。
【００３５】
図４に示した第３の実施の形態に係るＧＸ５３型ランプ装置２００では、電源投入後、蛍光ランプ１１は点灯制御部２９から供給される交流電力によって点灯し、ＬＥＤ２４もＬＥＤ電力供給部２３から供給される直流電力によって点灯する。その後、照度センサ２６によって検出された蛍光ランプ１１の照度が所定の基準値を超えると、制御部２５によってＬＥＤ電力供給部２３が制御され、ＬＥＤ２４への直流電力の供給が停止される。これにより、ＬＥＤ２４が消灯する。
【００３６】
この基準値は、例えば、蛍光ランプ１１に電源が投入されてから十分に時間が経過し、照度変化が目視ではほとんどなくなったときの蛍光ランプ１１の照度（最高照度）より小さい値（例えば最高照度の８割程度の値）とすることができる。
【００３７】
さらに、外部から供給された蛍光ランプ／ＬＥＤ切替信号により、蛍光ランプ１１とＬＥＤ２４を切り替えて点灯させることができる。例えば、蛍光ランプ１１が点灯しＬＥＤ２４が消灯しているときに蛍光ランプ／ＬＥＤ切替信号を受信すると、ＬＥＤ２４を点灯させ、蛍光ランプ１１を消灯させる。また、ＬＥＤ２４が点灯し蛍光ランプ１１が消灯しているときに蛍光ランプ／ＬＥＤ切替信号を受信すると、蛍光ランプ１１を点灯させ、ＬＥＤ２４を消灯させる（この消灯は、上記のように、蛍光ランプ１１の照度が所定の基準値を超えたときにＬＥＤ２４への直流電力の供給が停止されることによって行われてもよい。）。
【００３８】
図５に示すように、本発明の第４の実施の形態に係るＧＸ５３型ランプ装置３００は、図２に示した第１の実施の形態に、直流電力を出力するバッテリ３０が新たに設けられた構成となっている。
【００３９】
バッテリ３０は、ＬＥＤ電力供給部２３および制御部２５にそれぞれ接続され、ＬＥＤ電力供給部２３が入力電源２１から交流電力の供給を受けている場合、ＬＥＤ電力供給部２３から直流電力の供給を受けて充電する。また、ＬＥＤ電力供給部２３が入力電源２１から交流電力の供給を受けていない場合、ＬＥＤ電力供給部２３に直流電力を供給する。
【００４０】
ＬＥＤ電力供給部２３は、入力電源２１から交流電力の供給を受けているとき、交流電力を直流電力に変換後、その直流電力を制御部２５に供給するとともにバッテリ３０にも供給し、バッテリ３０を充電する。一方、入力電源２１から交流電力の供給を受けていない場合、バッテリ３０から直流電力の供給を受ける。
【００４１】
その他の構成は図２に示した第１の実施の形態に係るＧＸ５３型ランプ装置１の場合と同様である。即ち、入力電源２１には、点灯装置２２およびＬＥＤ電力供給部２３がそれぞれ接続され、点灯装置２２およびＬＥＤ電力供給部２３に交流電力がそれぞれ供給される。点灯装置２２には蛍光ランプ１１が接続されている。ＬＥＤ電力供給部２３には、ＬＥＤ２４が接続されている。
【００４２】
また、ＬＥＤ電力供給部２３およびバッテリ３０は制御部２５にそれぞれ接続されている。また、照度センサ２６も制御部２５に接続されている。バッテリ３０は、入力電源２１から点灯装置２２およびＬＥＤ電力供給部２３への交流電力の供給がないとき、即ち、ＬＥＤ電力供給部２３からバッテリ３０への直流電力の供給がないとき、直流電力を制御部２５およびＬＥＤ電力供給部２３にそれぞれ供給する。
【００４３】
点灯装置２２は、入力電源２１に接続され、入力電源２１から供給される交流電力を蛍光ランプ１１に供給する。照度センサ２６は、蛍光ランプ１１に電力供給が開始されると蛍光ランプ１１の照度を検出する検出処理を開始し、検出結果を一定時間（例えば、蛍光ランプ１１に電源投入されてから照度が通常の照度になるまでの時間より短い時間）間隔で制御部２５に供給する。
【００４４】
制御部２５は、照度センサ２６による検出結果の供給を受け、検出結果に応じて点灯装置２２およびＬＥＤ電力供給部２３を制御し、蛍光ランプ１１およびＬＥＤ２４の点灯および消灯をそれぞれ制御する。
【００４５】
ＬＥＤ電力供給部２３は、入力電源２１から供給された交流電力を直流電力に変換し、制御部２５に供給するとともに、制御部２５の制御下、ＬＥＤ２４に対する直流電力の供給および非供給を制御する。ＬＥＤ２４は、ＬＥＤ電力供給部２３から直流電力が供給されたとき、所定の発光色で発光する。
【００４６】
また、制御部２５は、例えば、ＬＥＤ電力供給部２３からの電力供給の有無、およびバッテリ３０からの直流電力の供給の有無に基づいて、入力電源２１から交流電力が供給されているか否かを判定する。即ち、制御部２５は、ＬＥＤ電力供給部２３から直流電力の供給がある場合、入力電源２１から交流電力の供給があると判断し、ＬＥＤ電力供給部２３から直流電力の供給がなく、バッテリ３０から直流電力の供給がある場合、入力電源２１から交流電力の供給がないと判断する。
【００４７】
そして、判定結果に応じて、ＬＥＤ電力供給部２３を制御する。ＬＥＤ電力供給部２３は制御部２５の制御下、入力電源２１から交流電力の供給がないとき、バッテリ３０より供給される直流電力をＬＥＤ２４に供給する。
【００４８】
図５に示した第４の実施の形態では、電源投入後、蛍光ランプ１１は点灯装置２２から供給される交流電力によって点灯し、ＬＥＤ２４もＬＥＤ電力供給部２３から供給される直流電力によって点灯する。その後、照度センサ２６によって検出された蛍光ランプ１１の照度が所定の基準値を超えると、制御部２５によってＬＥＤ電力供給部２３が制御され、ＬＥＤ２４への直流電力の供給が停止される。これにより、ＬＥＤ２４が消灯する。
【００４９】
この基準値は、例えば、蛍光ランプ１１に電源投入されてから十分に時間が経過し、照度変化が目視ではほとんどなくなったときの蛍光ランプ１１の照度（最高照度）より小さい値（例えば最高照度の８割程度の値）とすることができる。
【００５０】
さらに、停電等により、入力電源２１からの交流電力の供給が停止したとき、制御部２５によって入力電源２１からの交流電力の供給の停止が検出される。交流電力の供給の停止が検出されると、制御部２５の制御下、ＬＥＤ電力供給部２３はバッテリ３０から供給される直流電力をＬＥＤ２４に供給し、ＬＥＤ２４を点灯させる。
【００５１】
このように、入力電源２１からの交流電力の供給が停止しても、バッテリ３０から直流電力が供給されるので、ＬＥＤ２４を点灯させることができる。
【００５２】
図６に示したように、本発明の第５の実施の形態に係るＧＸ５３型ランプ装置４００は、図２の第１の実施の形態においてＬＥＤ２４に代えて多色ＬＥＤ３２を設け、多色ＬＥＤ３２の発光を制御するＬＥＤ制御部３１をさらに設けるようにしている。多色ＬＥＤ３２は、発光色が異なる複数の図示しない単色のＬＥＤチップにより構成されている。１または複数のＬＥＤチップをそれぞれ様々な組み合わせで発光させることにより、様々な発光色で発光させることができる。
【００５３】
多色ＬＥＤ３２はＬＥＤ制御部３１に接続され、ＬＥＤ制御部３１は、ＬＥＤ電力供給部２３および制御部２５にそれぞれ接続されている。ＬＥＤ制御部３１は、制御部２５の制御下、ＬＥＤ電力供給部２３から供給される直流電力を、多色ＬＥＤ３２を構成する１または複数のＬＥＤチップにそれぞれ選択的に供給する。その他の構成は、図２に示した第１の実施の形態の場合と同様である。
【００５４】
即ち、入力電源２１には、点灯装置２２およびＬＥＤ電力供給部２３がそれぞれ接続され、点灯装置２２およびＬＥＤ電力供給部２３に交流電力がそれぞれ供給される。点灯装置２２には蛍光ランプ１１が接続されている。ＬＥＤ電力供給部２３には、ＬＥＤ制御部３１が接続され、ＬＥＤ制御部３１には多色ＬＥＤ３２が接続されている。また、蛍光ランプ１１の近傍に配設された照度センサ２６は制御部２５に接続され、制御部２５はＬＥＤ電力供給部２３およびＬＥＤ制御部３１にそれぞれ接続されている。
【００５５】
入力電源２１に接続された点灯装置２２は、入力電源２１から供給される交流電力を蛍光ランプ１１に供給する。照度センサ２６は、蛍光ランプ１１の近傍に配設され、蛍光ランプ１１の照度を検出し、検出結果を制御部２５に供給する。
【００５６】
制御部２５は、照度センサ２６から検出結果の供給を受け、検出結果に応じてＬＥＤ電力供給部２３を制御し、多色ＬＥＤ３２の点灯および消灯を制御する。ＬＥＤ電力供給部２３は、入力電源２１から供給された交流電力を直流電力に変換し、制御部２５に供給するとともに、制御部２５の制御下、ＬＥＤ制御部３１に対する直流電力の供給および非供給を制御する。
【００５７】
ＬＥＤ電力供給部２３がＬＥＤ制御部３１に直流電力を供給すると、ＬＥＤ制御部３１は多色ＬＥＤ３２への直流電力の供給が可能となり、多色ＬＥＤ３２を発光させることができる。一方、ＬＥＤ電力供給部２３がＬＥＤ制御部３１への直流電力の供給を停止させると、ＬＥＤ制御部３１は多色ＬＥＤ３２への直流電力の供給ができなくなり、多色ＬＥＤ３２は消灯する。
【００５８】
多色ＬＥＤ３２を構成するそれぞれ異なる発光色で発光する各ＬＥＤチップは、ＬＥＤ電力供給部２３からＬＥＤ制御部３１を介して直流電力が供給されたとき発光する。そして、ＬＥＤ制御部３１の制御により直流電力が選択的に供給された１または複数のＬＥＤチップのみが発光する。例えば、時間の経過又は照度の上昇等に伴って、発光するＬＥＤチップの組み合わせを変えることにより、多色ＬＥＤ３２を様々な発光色で発光させることができ、例えば時間や照度に依存した多彩な表現が可能となる。
【００５９】
第５の実施の形態では、電源投入後、蛍光ランプ１１は点灯装置２２から供給される交流電力によって点灯し、多色ＬＥＤ３２もＬＥＤ制御部３１から供給される直流電力によって点灯する。その後、照度センサ２６によって検出された蛍光ランプ１１の照度が所定の基準値を超えると、制御部２５によってＬＥＤ電力供給部２３が制御され、多色ＬＥＤ３２への電力供給が停止され、多色ＬＥＤ３２が消灯される。
【００６０】
この基準値は、例えば、蛍光ランプ１１に電源投入されてから十分に時間が経過し、照度変化が目視ではほとんどなくなったときの蛍光ランプ１１の照度（最高照度）より小さい値（例えば最高照度の８割程度の値）とすることができる。このように、多色ＬＥＤ３２を用いることにより、光による様々な演出が可能となる。
【００６１】
次に、図７乃至図１０のフローチャートを参照して、各実施の形態における制御部２５等の処理手順について説明する。
【００６２】
まず、図７のフローチャートを参照して、図２に示した第１の実施の形態に係るＧＸ５３型ランプ装置１において制御部２５がＬＥＤ２４の点灯および消灯を制御するときの処理手順を説明する。
【００６３】
制御部２５は、入力電源がオンか判断する（ステップＳ１）。入力電源２１がオンされると、交流電力がＧＸ５３型ランプ装置１の点灯装置２２およびＬＥＤ電力供給部２３にそれぞれ供給される。制御部２５は、ＬＥＤ電力供給部２３に交流電力が供給されている場合、入力電源オンと判断する。一方、ＬＥＤ電力供給部２３に交流電力が供給されていない場合、入力電源オフと判断する。即ち、ＬＥＤ電力供給部２３に交流電力が供給され、直流電力に変換後、その直流電力が制御部２５に供給された場合、入力電源オンと判断し、直流電力が制御部２５に供給されない場合、入力電源オフと判断する。
【００６４】
入力電源オフと判定された場合（ステップＳ１；ＮＯ）、ステップＳ１の処理が繰り返し実行される。実際の処理では、入力電源がオフの場合、制御部２５への電力供給もないためステップＳ１の処理を行っていない。
【００６５】
一方、入力電源オンと判定された場合（ステップＳ１；ＹＥＳ）、制御部２５は、ＬＥＤ電力供給部２３に対してＬＥＤ２４に直流電力を供給するよう指令する。制御部２５からこの指令を受けたＬＥＤ電力供給部２３は、入力電源２１から供給された交流電力を直流電力に変換し、その直流電力をＬＥＤ２４に供給する（ステップＳ２）。これによりＬＥＤ２４が点灯する。
【００６６】
また、照度センサ２６は蛍光ランプ１１の照度を検出し、検出結果を制御部２５に供給する。制御部２５は、照度センサ２６から供給された検出結果に基づき、蛍光ランプ１１の照度が所定の基準値を超えたか否かを判定する（ステップＳ３）。蛍光ランプ１１の照度が所定の基準値を超えていないと判定された場合（ステップＳ３；ＮＯ）、ステップＳ３の処理が繰り返される。
【００６７】
一方、蛍光ランプ１１の照度が所定の基準値を超えたと判定された場合（ステップＳ３；ＹＥＳ）、制御部２５の制御下、ＬＥＤ電力供給部２３は、ＬＥＤ２４への直流電力の供給を停止させ、ＬＥＤ２４を消灯させる（ステップＳ４）。その後、本処理を終了する。
【００６８】
次に、図８のフローチャートを参照して、図３に示した第２の実施の形態に係るＧＸ５３型ランプ装置１００において制御部２５がＬＥＤ２４の点灯および消灯を制御する場合の処理手順を説明する。
【００６９】
制御部２５は、入力電源がオンか判断する（ステップＳ１１）。入力電源がオンされると、交流電力がＧＸ５３型ランプ装置１００の点灯装置２２およびＬＥＤ電力供給部２３にそれぞれ供給される。制御部２５は、ＬＥＤ電力供給部２３に交流電力が供給されている場合、入力電源オンと判断する。一方、ＬＥＤ電力供給部２３に交流電力が供給されていない場合、入力電源オフと判断する。入力電源オフと判定された場合（ステップＳ１１；ＮＯ）、ステップＳ１１の処理が繰り返し実行される。実際の処理では、入力電源がオフの場合、制御部２５への電力供給もないためステップＳ１１の処理は行われない。
【００７０】
一方、入力電源オンと判定された場合（ステップＳ１１；ＹＥＳ）、制御部２５は、ＬＥＤ電力供給部２３に対してＬＥＤ２４に直流電力を供給するよう指令する。制御部２５からこの指令を受けたＬＥＤ電力供給部２３は、入力電源２１から供給された交流電力を直流電力に変換し、直流電力をＬＥＤ２４に供給する（ステップＳ１２）。これによりＬＥＤ２４が点灯する。
【００７１】
次に、制御部２５は、タイマ２７を始動させ、計時処理を開始させる（ステップＳ１３）。タイマ２７は、計時結果を一定間隔で制御部２５に供給する。制御部２５は、タイマ２７から供給された計時結果（タイマ値）に基づき、蛍光ランプ１１が点灯してから以降の時間が所定の基準時間（基準値）を超えたか否かを判定する（ステップＳ１４）。
【００７２】
判定の結果、蛍光ランプ１１が点灯してから以降の時間が所定の基準時間を超えていないと判定された場合（ステップＳ１４；ＮＯ）、ステップＳ１４の処理が繰り返し実行される。一方、蛍光ランプ１１が点灯してから以降の時間が所定の基準時間を超えたと判定された場合（ステップＳ１４；ＹＥＳ）、ＬＥＤ電力供給部２３に対してＬＥＤ２４への直流電力の供給を停止させるよう指令する。
【００７３】
この指令を受けたＬＥＤ電力供給部２３は、ＬＥＤ２４への直流電力の供給を停止させ、ＬＥＤ２４を消灯させる（ステップＳ１５）。次に、制御部２５は、タイマ２７をリセットする（ステップＳ１６）。その後、本処理を終了する。
【００７４】
次に、図９のフローチャートを参照して、図４に示した第３の実施の形態に係るＧＸ５３型ランプ装置２００において、外部からの蛍光ランプ／ＬＥＤ切替信号を受信したときの処理手順を説明する。
【００７５】
制御部２５により、受信部２８が蛍光ランプ／ＬＥＤ切替信号を受信し、受信部２８から蛍光ランプ／ＬＥＤ切替信号が供給されたか否かが判定される（ステップＳ２１）。判定の結果、蛍光ランプ／ＬＥＤ切替信号が供給されていないと判定された場合（ステップＳ２１；ＮＯ）、ステップＳ２１の処理が繰り返し実行される。
【００７６】
一方、蛍光ランプ／ＬＥＤ切替信号が供給されたと判定された場合（ステップＳ２１；ＹＥＳ）、ＬＥＤ２４が点灯しているか否かが判定される（ステップＳ２２）。この判定処理は、ＬＥＤ電力供給部２３がＬＥＤ２４に対して直流電力を供給しているか否かによって行われる。即ち、ＬＥＤ電力供給部２３がＬＥＤ２４に直流電力を供給している場合、ＬＥＤ２４は点灯していると判定する。一方、ＬＥＤ電力供給部２３がＬＥＤ２４に直流電力を供給していない場合、ＬＥＤ２４は消灯していると判定する。
【００７７】
ステップＳ２２における判定の結果、ＬＥＤ２４が点灯していると判定された場合（ステップＳ２２；ＹＥＳ）、制御部２５は、点灯制御部２９に対して蛍光ランプ１１への交流電力の供給を開始するよう指令する。この指令を受けた点灯制御部２９は、蛍光ランプ１１への交流電力の供給を開始する（ステップＳ２３）。これにより蛍光ランプ１１が点灯する。
【００７８】
次に、制御部２５は、ＬＥＤ電力供給部２３に対してＬＥＤ２４への直流電力の供給を停止させるよう指令する。この指令を受けたＬＥＤ電力供給部２３は、ＬＥＤ２４への直流電力の供給を停止する（ステップＳ２４）。これにより、ＬＥＤ２４は消灯する。このように、外部からの切替信号により、ＬＥＤ２４が点灯している場合には蛍光ランプ１１を点灯させ、ＬＥＤ２４を消灯させることができる。なお、ステップＳ２４の処理は、上記の照度の結果等に応じて、行っても良い。つまり、ＬＥＤ２４の消灯は、図７や図８の処理に従って行っても良い。
【００７９】
また、ステップＳ２２において、ＬＥＤが点灯していない（消灯している）と判定された場合（ステップＳ２２；ＮＯ）、制御部２５は、ＬＥＤ電力供給部２３に対してＬＥＤ２４への電力供給を開始するよう指令する。この指令を受けたＬＥＤ電力供給部２３は、ＬＥＤ２４への電力供給を開始する（ステップＳ２５）。これにより、ＬＥＤ２４が点灯する。
【００８０】
次に、制御部２５は、点灯制御部２９に対して蛍光ランプ１１を消灯させるよう指令する。この指令を受けた点灯制御部２９は、蛍光ランプ１１への交流電力の供給を停止させる（ステップＳ２６）。これにより、蛍光ランプ１１は消灯する。このように、外部からの切替信号により、ＬＥＤ２４が消灯している場合にはＬＥＤ２４を点灯させ、蛍光ランプ１１を消灯させることができる。
【００８１】
第３の実施の形態において、点灯制御部２９は、制御部２５からの指令に応じて、蛍光ランプ１１への交流電力の供給および非供給を切り替えることができるように構成されている。
【００８２】
次に、図１０のフローチャートを参照して、図５に示した第４の実施の形態において、バッテリ３０から出力される直流電力のＬＥＤ２４への供給および非供給を制御するときの処理手順を説明する。
【００８３】
入力電源２１から交流電力の供給がなされているか判断する（ステップＳ３１）。入力電源２１から交流電力が供給されると、交流電力がＧＸ５３型ランプ装置３００の点灯装置２２およびＬＥＤ電力供給部２３にそれぞれ供給される。制御部２５は、ＬＥＤ電力供給部２３に交流電力が供給されている場合、入力電源２１から交流電力の供給がされていると判断する。一方、ＬＥＤ電力供給部２３に交流電力が供給されていない場合、例えば停電などにより、入力電源２１から交流電力が供給されていないと判定する。即ち、制御部２５は、ＬＥＤ電力供給部２３から直流電力の供給があるとき、入力電源２１から交流電力が供給されていると判断し、ＬＥＤ電力供給部２３から直流電力の供給がなく、バッテリ３０から直流電力の供給を受けたとき、入力電源２１から交流電力が供給されていないと判断する。
【００８４】
入力電源２１から交流電力が供給されていない場合、制御部２５への電力供給はバッテリ３０から行われ、バッテリ３０から直流電力の供給を受けた制御部２５によりステップＳ３１の処理が行われる。
【００８５】
制御部２５により、入力電源２１から交流電力の供給がされていると判定された場合（ステップＳ３１；ＹＥＳ）、ステップＳ３１の処理が繰り返し実行される。一方、入力電源２１から交流電力の供給がされていないと判定された場合（ステップＳ３１；ＮＯ）、制御部５は、ＬＥＤ電力供給部２３に対してバッテリ３０が出力する直流電力をＬＥＤ２４に供給するよう指令する。
【００８６】
制御部２５からこの指令を受けたＬＥＤ電力供給部２３は、バッテリ３０から供給された直流電力をＬＥＤ２４に供給する（ステップＳ３２）。これによりＬＥＤ２４が点灯する。
【００８７】
次に、ステップＳ３１の場合と同様に、入力電源２１から交流電力が供給されているか否かが判定される（ステップＳ３３）。判定の結果、入力電源２１から交流電力が供給されていないと判定された場合（ステップＳ３３；ＮＯ）、ステップＳ３３の処理が繰り返し実行される。
【００８８】
一方、入力電源２１から交流電力が供給されていると判定された場合（ステップＳ３３；ＹＥＳ）、制御部２５は、ＬＥＤ電力供給部２３に対して、バッテリ３０が出力する直流電力のＬＥＤ２４への供給を停止させるよう指令する。この指令を受けたＬＥＤ電力供給部２３は、ＬＥＤ２４への直流電力の供給を停止させる（ステップＳ３４）。これにより、ＬＥＤ２４は消灯する。
【００８９】
このように、入力電源２１からＬＥＤ電力供給部２３に対して交流電力の供給がないとき、バッテリ３０がＬＥＤ電力供給部２３の代わりに直流電力をＬＥＤ２４に供給することができる。例えば、停電等により入力電源２１から交流電力が供給されなくなったとき、バッテリ３０が出力する直流電力によってＬＥＤ２４が点灯するので、ＬＥＤ２４を非常灯として機能させることができる。
【００９０】
図１１に示すように、照度センサ２６は、例えば、蛍光ランプ１１の近傍に配置され、蛍光ランプ１１の照度を検出し、検出結果を制御部２５に供給するようになっている。照度センサ２６が配置される位置はこれに限定されるものではなく、蛍光ランプ１１の照度を検出できる位置であればよい。
【００９１】
以上説明したように、本実施の形態では、電源投入後の一定時間、補助光源を発光させることができるので、蛍光ランプ１１の始動特性の悪さに起因する電源投入直後の低輝度な状態を改善することができる。また、補助光源に長寿命のＬＥＤ２４等を用いることにより、蛍光ランプ１１の寿命が切れた後も補助光源のみを発光させることができる。また、バッテリ３０を補助光源の電源として使用可能にすることにより、非常灯としても利用することができる。さらに、補助光源を多色ＬＥＤ３２等の複数の発光色で発光させることが可能な光源で構成することにより、様々な演出が可能となる。
【００９２】
なお、本発明は上記各実施の形態に限定されず、種々の変形及び応用が可能である。例えば、図４に示した第３の実施の形態は、図１に示した実施の形態に受信部２８を追加する構成としたが、図３に示した第２の実施の形態に受信部２８を追加する構成としてもよい。
【００９３】
また、上記各実施の形態では、ＬＥＤ２４や多色ＬＥＤ３２を用いるようにしたが、有機ＥＬ（エレクトロルミネッセンス）素子等を用いるようにしてもよい。
【００９４】
また、多色ＬＥＤ３２を用いる場合、照度センサ２６の検出結果や、タイマ２７の計時結果に応じて、多色ＬＥＤ３２を構成する発光色が異なる複数のＬＥＤチップのうち、１または複数のＬＥＤチップを適宜点灯させることにより、蛍光ランプ１１の照度や蛍光ランプ１１が点灯してからの時間等に応じて様々な色で発光させることができる。例えば、電源投入後、照度センサ２６によって検出された蛍光ランプ１１の照度が高くなるにつれて、赤、青、緑等の順で発光色を変化させることができる。同様に、電源投入後、タイマ２７によって計時された時間が長くなるにつれて、赤、青、緑等の順で発光色を変化させることができる。
【００９５】
また、上記各実施の形態では、ＧＸ５３型口金を有する蛍光ランプ装置について説明したが、これに限定されるものではなく、その他の蛍光ランプ装置にも本発明を適用することができる。
【符号の説明】
【００９６】
１，１００，２００，３００，４００  ＧＸ５３型ランプ装置
１１  蛍光ランプ
１２−１乃至１２−８  ＬＥＤ
１３  収容部
２１  入力電源
２２  点灯装置
２３  ＬＥＤ電力供給部
２４  ＬＥＤ
２５  制御部
２６  照度センサ
２７  タイマ
２８  受信部
２９  点灯制御部
３０  バッテリ
３１  ＬＥＤ制御部
３２  多色ＬＥＤ
【図１】
2010205644.tif 000003
【図２】
2010205644.tif 000004
【図３】
2010205644.tif 000005
【図４】
2010205644.tif 000006
【図５】
2010205644.tif 000007
【図６】
2010205644.tif 000008
【図７】
2010205644.tif 000009
【図８】
2010205644.tif 000010
【図９】
2010205644.tif 000011
【図１０】
2010205644.tif 000012
【図１１】
2010205644.tif 000013